(57)【要約】【課題】空気調和機の高外気温時の電気部品冷却効果の確保。【解決手段】吸気口２８から導入された外気は機械室２６内の圧縮機を冷却し、温まった外気は機械室排気口２９から排気され、一方、電装箱２４へは吸気口２８近くに設けた電装箱吸入口３０から導入した外気が通気され電装箱２４内に入り、電気部品３１を冷却して電装箱排気口３２から送風機室２３へ排気される。これにより、機械室で圧縮機等高温の部品で加熱されることのない外気で電気部品を冷却するため、高外気温での冷却効果を維持できる。【選択図】図１
2008157587.tif 000002
【特許請求の範囲】
【請求項１】
熱交用送風機を収めた送風機室と、圧縮機と電装箱を収めた機械室を仕切り形成した室外機において、前記熱交用送風機の負圧により、前記機械室へ外気を導入する吸気口と、前記吸気口から前記電装箱内部の電気部品を冷却して送風機室へ排気する電装箱排気口と、前記吸気口から前記機械室内を冷却し前記送風機室へ排気する機械室排気口とを備えたことを特徴とした空気調和機。
【請求項２】
電装箱表面に断熱材を取り付けたことを特徴とする請求項1に記載の空気調和機。
【請求項３】
電装箱排気口を開閉する排気口扉を有することを特徴とする請求項1に記載の空気調和機。
【請求項４】
排気口扉をアルミニウム製としたことを特徴とする請求項３に記載の空気調和機。
【請求項５】
電装箱排気口周囲に設けられた当接面は傾斜し、排気口扉は重力による鉛直方向力によって当接面と接することを特徴とする請求項３に記載の空気調和機。
【発明の詳細な説明】
【技術分野】
【０００１】
本発明はインバーター等、冷却が必要な電気部品を有した空気調和機に関するものである。
【背景技術】
【０００２】
従来、この種の空気調和機の室外機は熱交用送風機による負圧を利用して、吸気口より導入した外気で電気部品を冷却し、熱交用送風機側へ排気している（例えば、特許文献１参照）。図３は前記文献に記載された空気調和機を示すものである。図３において熱交用送風機の回転による負圧により機械室外気取入口１１から導入した外気で電気部品１０を冷却し、通気口９より排気を行っている。
【特許文献１】特開２００３−１０６５６９号公報
【発明の開示】
【発明が解決しようとする課題】
【０００３】
しかしながら、前記従来の構成では、吸気口は雨水等が機械室上方に配置された電装箱内に進入しないようにするため機械室下方に設ける。そのため吸気口を通った外気は、機械室底部に設置した圧縮機や機械室内の吐出管等、高外気温時に特に温度が高くなる部品の周囲を通ってから電装箱に入るため、高外気温時には電気部品の冷却効果が低下する。さらに機械室内部の温度上昇の伝熱により電装箱の温度が上昇するという課題を有していた。
【０００４】
また、前記従来の構成では、熱交用送風機が停止し、通気口から排気が行われていない場合、本体空気吹出口や熱交換器を通過した雨水などが通気口から逆流して電装箱内に浸入し、電装部品の故障や、漏電などの危険を招く恐れが生じという課題を有していた。
【０００５】
本発明は、前記従来の課題を解決するもので、電気部品の冷却を確保し、電装箱内に雨水などの浸入防止を図った空気調和機室外機を提供することを目的とする。
【課題を解決するための手段】
【０００６】
前記従来の課題を解決するために、本発明の空気調和機は、熱交用送風機を収めた送風機室と、圧縮機と電装箱を収めた機械室を仕切り形成した室外機において、前記熱交用送風機の負圧により、前記機械室へ外気を導入する吸気口と、前記吸気口から前記電装箱内部の電気部品を冷却して送風機室へ排気する電装箱排気口と、前記吸気口から前記機械室内を冷却し前記送風機室へ排気する機械室排気口とを備えたことを特徴としたものである。
【０００７】
これによって、電装箱へ通気される外気は機械室で加熱されることがなく、機械室の温度上昇は低減されるので、高外気温においても電気部品の冷却効果を維持することを目的とする。
【０００８】
また、電装箱排気口を開閉する排気口扉を設けることにより電装箱から排気行われていない場合に排気口扉を閉じることにより、雨水などの浸入を防止する。
【発明の効果】
【０００９】
本発明の空気調和機は、機械室で加熱されることなく電装箱へ外気を通気できるため、機械室温度が上昇する高外気温の運転においても、電気部品の冷却効果を得ることができ、電装箱から排気が行われていない場合に排気口扉を閉じることにより、雨水などの浸入
を防止することができる。
【発明を実施するための最良の形態】
【００１０】
第１の発明は熱交用送風機を収めた送風機室と、圧縮機と電装箱を収めた機械室を仕切り形成した室外機において、前記熱交用送風機の負圧により、前記機械室へ外気を導入する吸気口と、前記吸気口から前記電装箱内部の電気部品を冷却して送風機室へ排気する電装箱排気口と、前記吸気口から前記機械室内を冷却し前記送風機室へ排気する機械室排気口とを備えたことを特徴とすることにより、機械室で加熱されることなく電装箱へ外気を通気できるため、機械室温度が上昇する高外気温の運転においても、電気部品の冷却効果を得ることができる。
【００１１】
第２の発明は、特に、第１の発明の電装箱表面に断熱材を取り付けたことを特徴とすることにより、機械室からの伝熱による電装箱の温度上昇を抑制することができる。
【００１２】
第３の発明は、特に、第１の発明の電装箱排気口に排気口扉を設けたので、運転時は排気口扉を開けて吸気口から導入した空気で電気部品の冷却を確保し、排気が行われていないときに排気口扉を閉じることにより、排気口から逆流する空気に混じって電装箱内に雨水などが進入し、電気部品の故障や漏電等危険な状態を招くことを防止することができる。
【００１３】
第４の発明は、特に、第３の発明の排気口扉をアルミニウム製とすることにより、排気口扉を伝熱させて電装箱内部の熱を放熱することができるので、排気口扉を閉じているときにも電装箱内部の温度上昇を低減し、排気口扉を開く頻度を低減でき、排気口から逆流する空気に混じって電装箱内に雨水などが進入し、電気部品の故障や漏電等危険な状態を招くことを防止することができる。
【００１４】
第５の発明は、特に、第３の発明の排気口扉を排気口周囲に設けられた当接面は傾斜し、排気口扉は重力による鉛直方向力によって当接面と接することにより、熱交送風機が運転し排気扉にかかる負圧が重力よりも強くなり排気扉が開いて電気部品の冷却を確保し、熱交用送風機の停止時は重力により閉じて、排気口から逆流する空気に混じって電装箱内に雨水などが進入し、電気部品の故障や漏電等危険な状態を招くことを防止することができる。
【００１５】
以下、本発明の実施の形態について、図面を参照しながら説明する。なお、この実施の形態によって本発明が限定されるものではない。
【００１６】
（実施の形態１）
図１は、本発明の第１の実施の形態における空気調和機の室外機の正面からの断面模式図、図２は図１の電装箱近傍の拡大図である。
【００１７】
図１において、室外機２１は熱交用送風機２２を備えた送風機室２３と、電装箱２４と圧縮機２５を備えた機械室２６とに仕切り構成されている。
【００１８】
送風機吹出口２７から熱交用送風機２２の回転により熱交換した空気を吹き出し、送風機室２３が負圧になることにより、外気は吸気口２８から機械室２６へ導入され、圧縮機２５を冷却した外気は機械室排気口２９から送風機室２３へ排気される。また一方、電装箱２４へは吸気口２８近くに設けた電装箱吸入口３０から導入した外気が通気され電装箱２４内に入り、電気部品３１を冷却して電装箱排気口３２から送風機室２３へ排気される。排気口扉３３はアルミニウム製で排気口３２を開閉できるように扉の上端面に水平な軸を備え、送風機室２３側へ揺動できるように設置され、排気口３１周囲に設けられた当接
面が傾斜しており重力による鉛直方向力によって当接面と接している。図1と図２の実線が揺動して排気口３１が開いている状態、破線が閉じている状態を示している。
【００１９】
また断熱材３４は電装箱２４表面に取り付けられ、機械室２６から電装箱２４への伝熱を断熱する。
【００２０】
以上のように構成された空気調和機について、以下その動作、作用を説明する。まず、室外機２１停止時は、熱交用送風機２２及び圧縮機２５は停止している。このとき電装箱２４から送風機室２３への空気の流れがなく、排気口扉３３は排気口３２の当接面に重力により押さえつけられて接している。従って排気口３２は閉じた状態であり、風雨が強く、雨水を含んだ空気が送風機吹出口２７から逆流し送風機室２３内に浸入しても、電装箱２４には浸入することはない。
【００２１】
次に、室外機２１運転時は、熱交用送風機２２が回転して送風機室２３内は負圧になり、機械室２６と電装箱内は吸気口２８に連通しているので大気圧に等しいため、この圧力差により排気口扉３３は送風機室側へ揺動して排気口３２が開く。運転時は、図示しない熱交側から送風機室内に雨水が入った場合でも、電装箱２４から送風機室側へ排気が行われているために、電装箱２４内への雨水の浸入は起こらない。吸気口２８から導入された外気は機械室２６内の圧縮機を冷却し、温まった外気は機械室排気口２９から排気される。これにより機械室内の温度上昇は低減される。
【００２２】
また一方、電装箱２４へは吸気口２８近くに設けた電装箱吸入口３０から導入した外気が通気され電装箱２４内に入り、電気部品３１を冷却して電装箱排気口３２から送風機室２３へ排気される。これにより、機械室で圧縮機等高温の部品で加熱されることのない外気で電気部品を冷却するため、高外気温での冷却効果を確保できる。さらに機械室の温度上昇は通気により低減された上に、電装箱の機械室と接する面には断熱材が取り付けられているため、機械室の温度上昇が電装箱の温度上昇に与える影響を小さくできる。
【００２３】
以上のように、本実施の形態においては、機械室で加熱されることなく電装箱へ外気を通気できるため、機械室温度が上昇する高外気温の運転においても、電気部品の冷却効果を得ることができ、電気部品の劣化を防止し寿命と信頼性を向上することができる。
【００２４】
また、電装箱から排気が行われていない場合に排気口扉を閉じることにより、雨水などの浸入を防止することができ、電気部品の故障や漏電等危険な状態を招くことを防止することができる。
【産業上の利用可能性】
【００２５】
以上のように、本発明にかかる空気調和機は、電装箱と機械室に別々に排気口を設けたため、高外気温時、電装品を備えた機械室が高温になりやすい自動販売機等の用途にも適用できる。
【図面の簡単な説明】
【００２６】
【図１】本発明の実施の形態１における空気調和機の室外機の断面模式図
【図２】図１の電装箱近傍の拡大図
【図３】従来の空気調和機の室外機の断面図
【符号の説明】
【００２７】
２２  熱交用送風機
２４  電装箱
２５  圧縮機
２８  吸気口
２９  機械室排気口
３１  電気部品
３２  電装箱排気口
３３  排気口扉
３４  断熱材
【図１】
2008157587.tif 000003
【図２】
2008157587.tif 000004
【図３】
2008157587.tif 000005